(57)【要約】【課題】点状光源を内蔵した態様において、点状光源の存在を外部から隠し且つ周囲を略均一に照射する。【解決手段】照明装置１として、予め決められた間隔で配列される複数の点状光源２と、これら複数の点状光源２を内部に収容支持し且つ少なくとも点状光源２の配列方向に沿った領域にて点状光源２からの照射光を外部に透過させる透過支持体３とを備え、透過支持体３は、透過性材料からなり且つ複数の点状光源２の配列方向に沿った方向に延びて複数の点状光源２が覆われる透過性覆い５と、この透過性覆い５に一体的に形成され、点状光源２に対向する部位とそれ以外の部位との照度差をなくすように各点状光源２からの照射光が拡散される拡散層６とを有する。また、この照明装置１の透過性覆い５の外側に装飾用覆いを設けることにより照明装飾装置を提供する。【選択図】  図１
2011014468.tif 000002
【特許請求の範囲】
【請求項１】
予め決められた間隔で配列される複数の点状光源と、
これら複数の点状光源を内部に収容支持し且つ少なくとも点状光源の配列方向に沿った領域にて点状光源からの照射光を外部に透過させる透過支持体とを備え、
透過支持体は、透過性材料からなり且つ複数の点状光源の配列方向に沿った方向に延びて複数の点状光源が覆われる透過性覆いと、
この透過性覆いに一体的に形成され、点状光源に対向する部位とそれ以外の部位との照度差をなくすように各点状光源からの照射光が拡散される拡散層とを有することを特徴とする照明装置。
【請求項２】
請求項１記載の照明装置において、
透過支持体は、透過性覆いに対して固定され且つ透過性覆いの内部に複数の点状光源が支持される光源支持体を有することを特徴とする照明装置。
【請求項３】
請求項１又は２記載の照明装置において、
透過性覆いは円筒状に形成されていることを特徴とする照明装置。
【請求項４】
請求項１ないし３いずれかに記載の照明装置において、
透過性覆いは、透過性材料よりも高比重の拡散剤が含まれる拡散層を一体的に形成したものであることを特徴とする照明装置。
【請求項５】
請求項１ないし４いずれかに記載の照明装置において、
透過性覆いは、透過性材料よりも高比重で且つ比重の異なる拡散剤が含まれる拡散層を一体的に形成し、比重の低い拡散剤が含まれる低比重拡散層よりも外側に比重の高い拡散剤が含まれる高比重拡散層を配置したものであることを特徴とする照明装置。
【請求項６】
請求項１ないし５いずれかに記載の照明装置において、
透過性覆いは、点状光源からの照射光の波長成分が調整可能な波長成分調整剤を拡散層に含ませたことを特徴とする照明装置。
【請求項７】
請求項１ないし５いずれかに記載の照明装置において、
点状光源は、当該点状光源からの照射光の波長成分が調整可能な波長成分調整層を有するものであることを特徴とする照明装置。
【請求項８】
請求項１ないし７いずれかに記載の照明装置と、
この照明装置の透過性覆いの外側に設けられ且つ装飾模様が付された透過性素材からなる装飾用覆いとを備えたことを特徴とする照明装飾装置。
【請求項９】
請求項８記載の照明装飾装置において、
装飾用覆いは和紙であることを特徴とする照明装飾装置。
【発明の詳細な説明】
【技術分野】
【０００１】
本発明は、点状光源を内蔵した照明装置並びにこれを用いた照明装飾装置に関する。
【背景技術】
【０００２】
従来この種の照明装置としては、ＬＥＤを利用した照明装置が既に提供されている(例えば特許文献１，２参照)。
特許文献１は、ＬＥＤの集合体からなる面状光源を用い、この光源の周囲に第１透光拡散手段、第２透光拡散手段を設けた技術である。
特許文献２は、自動車の乗員室内に取り付けられるイルミネーションモジュールであって、光源と、光源の光を散乱させる微小粒子が透明な母材樹脂に分散された光散乱導光樹脂からなる光輝体と、この光輝体の乗員室内側とは反対側の部位を当該光輝体の縁部を除いて覆う光遮断部材とを有する技術である。
【先行技術文献】
【特許文献】
【０００３】
【特許文献１】特許第４０７８０５０号公報(発明の実施の形態，図１)
【特許文献２】特許第４０８５０５３号公報(発明を実施するための最良の形態，図３)
【発明の概要】
【発明が解決しようとする課題】
【０００４】
しかしながら、特許文献１は、点状光源としてＬＥＤを使用しているが、ＲＧＢの３色のＬＥＤを面状に配置して使用しているため、実質的には面状光源を構成した上での配光技術に過ぎない。また、特許文献２は点状光源としてのＬＥＤと光輝体との間に光遮断部材を配置することを前提とした配光技術に過ぎない。
本発明の技術的課題は、点状光源を内蔵した態様において、点状光源の存在を外部から隠し且つ周囲を略均一に照射することが可能な照明装置及びこれを用いた照明装飾装置を提供することにある。
【課題を解決するための手段】
【０００５】
請求項１に係る発明は、予め決められた間隔で配列される複数の点状光源と、これら複数の点状光源を内部に収容支持し且つ少なくとも点状光源の配列方向に沿った領域にて点状光源からの照射光を外部に透過させる透過支持体とを備え、透過支持体は、透過性材料からなり且つ複数の点状光源の配列方向に沿った方向に延びて複数の点状光源が覆われる透過性覆いと、この透過性覆いに一体的に形成され、点状光源に対向する部位とそれ以外の部位との照度差をなくすように各点状光源からの照射光が拡散される拡散層とを有することを特徴とする照明装置である。
請求項２に係る発明は、請求項１に係る照明装置において、透過支持体は、透過性覆いに対して固定され且つ透過性覆いの内部に複数の点状光源が支持される光源支持体を有することを特徴とする照明装置である。
請求項３に係る発明は、請求項１又は２に係る照明装置において、透過性覆いは円筒状に形成されていることを特徴とする照明装置である。
請求項４に係る発明は、請求項１ないし３いずれかに係る照明装置において、透過性覆いは、透過性材料よりも高比重の拡散剤が含まれる拡散層を一体的に形成したものであることを特徴とする照明装置である。
請求項５に係る発明は、請求項１ないし４いずれかに係る照明装置において、透過性覆いは、透過性材料よりも高比重で且つ比重の異なる拡散剤が含まれる拡散層を一体的に形成し、比重の低い拡散剤が含まれる低比重拡散層よりも外側に比重の高い拡散剤が含まれる高比重拡散層を配置したものであることを特徴とする照明装置である。
請求項６に係る発明は、請求項１ないし５いずれかに係る照明装置において、透過性覆いは、点状光源からの照射光の波長成分が調整可能な波長成分調整剤を拡散層に含ませたことを特徴とする照明装置である。
請求項７に係る発明は、請求項１ないし５いずれかに係る照明装置において、点状光源は、当該点状光源からの照射光の波長成分が調整可能な波長成分調整層を有するものであることを特徴とする照明装置である。
請求項８に係る発明は、請求項１ないし７いずれかに係る照明装置と、この照明装置の透過性覆いの外側に設けられ且つ装飾模様が付された透過性素材からなる装飾用覆いとを備えたことを特徴とする照明装飾装置である。
請求項９に係る発明は、請求項８に係る照明装飾装置において、装飾用覆いは和紙であることを特徴とする照明装飾装置である。
【発明の効果】
【０００６】
請求項１に係る発明によれば、点状光源を内蔵した態様において、点状光源の存在を外部から隠し且つ周囲を略均一に照明することができる。
請求項２に係る発明によれば、透過性覆いの内部空間が広くても、透過性覆いの内部に複数の点状光源を安定的に支持することができる。
請求項３に係る発明によれば、点状光源を取り囲む周囲全体を略均一に照明することができる。
請求項４に係る発明によれば、遠心成形法を用いて透過性覆いに拡散層を簡単に構築することができる。
請求項５に係る発明によれば、遠心成形法を用いて透過性覆いに複数種の拡散層を簡単に構築することができる。
請求項６に係る発明によれば、点状光源を改良することなく、点状光源からの照射光の波長成分を調整し、外部への照明光の色合いを調整することができる。
請求項７に係る発明によれば、点状光源を工夫することで、点状光源からの照射光の波長成分を調整し、外部への照明光の色合いを調整することができる。
請求項８に係る発明によれば、周囲を略均一に照明可能な照明機能と装飾機能とが融合した照明装飾装置を簡単に提供することができる。
請求項９に係る発明によれば、和紙の持つ装飾機能を利用した照明装飾装置を簡単に提供することができる。
【図面の簡単な説明】
【０００７】
【図１】(ａ)は本発明が適用された照明装置の実施の形態の概要を示す説明図、(ｂ)は(ａ)中Ｂ−Ｂ線断面説明図、(ｃ)は(ａ)中Ｃ−Ｃ線断面説明図である。
【図２】(ａ)は実施の形態１に係る照明装置の全体構成を示す斜視説明図、(ｂ)はその分解説明図である。
【図３】(ａ)は図２(ａ)中ＩＩＩ−ＩＩＩ線断面説明図、(ｂ)は(ａ)中Ｂ−Ｂ線断面説明図である。
【図４】(ａ)は実施の形態１で用いられる透過パイプの製造例を示す説明図、(ｂ)は(ａ)中Ｂ−Ｂ線断面説明図ある。
【図５】(ａ)は図４(ｂ)の詳細説明図、(ｂ)は(ａ)の別の例を示す説明図である。
【図６】(ａ)は本実施の形態に係る照明装置の作用を示す説明図、(ｂ)は(ａ)中Ｂ方向から見た矢視図、(ｃ)は比較の形態に係る照明装置の作用を示す説明図、(ｄ)は(ｃ)中Ｄ方向から見た矢視図である。
【図７】実施の形態１で用いられる透過パイプの作用を模式的に示す説明図である。
【図８】実施の形態１に係る照明装置の変形の形態を示し、(ａ)は透過パイプ、(ｂ)は光源ユニット、(ｃ)は(ｂ)中Ｃ方向から見た矢視図である。
【図９】(ａ)は実施の形態２に係る照明装置の要部を示す説明図、(ｂ)は(ａ)中Ｂ部拡大説明図である。
【図１０】(ａ)は実施の形態２で用いられる透過パイプの製造例を示す説明図、(ｂ)は(ａ)中Ｂ−Ｂ線断面説明図である。
【図１１】(ａ)は実施の形態３に係る照明装置の要部を示す説明図、(ｂ)は(ａ)に示す照明装置の動作原理を示す説明図である。
【図１２】(ａ)は実施の形態４に係る照明装飾装置の全体構成を示す説明図、(ｂ)は(ａ)に示す照明装飾装置の構成要素を示す説明図である。
【図１３】(ａ)は実施の形態４で用いられる照明装飾装置の斜視説明図、(ｂ)は(ａ)に示す照明装置の縦断面説明図及びその平面図である。
【図１４】(ａ)は実施の形態５に係る照明装置を示す説明図、(ｂ)(ｃ)は実施の形態５に係る照明装置の他の例を示す説明図である。
【図１５】実施の形態５に係る照明装置の更に別の例を示す説明図である。
【図１６】実施例１に係る照明装置からの照明光の分光特性を示す説明図である。
【図１７】実施例１で用いられるＬＥＤ光源の分光特性を示す説明図である。
【発明を実施するための形態】
【０００８】
◎実施の形態の概要
図１は本発明が適用された照明装置の実施の形態の概要を示す説明図である。
図１(ａ)〜(ｃ)において、照明装置１は、予め決められた間隔で配列される複数の点状光源２と、これら複数の点状光源２を内部に収容支持し且つ少なくとも点状光源２の配列方向に沿った領域にて点状光源２からの照射光を外部に透過させる透過支持体３とを備え、透過支持体３は、透過性材料からなり且つ複数の点状光源２の配列方向に沿った方向に延びて複数の点状光源２が覆われる透過性覆い５と、この透過性覆い５に一体的に形成され、点状光源２に対向する部位とそれ以外の部位との照度差をなくすように各点状光源２からの照射光が拡散される拡散層６とを有するものである。
【０００９】
このような技術的手段において、点状光源２としては、ＬＥＤ、ＥＬを始め適宜選定して差し支えない。また、点状光源２からの光の種類についても適宜選定して差し支えないが、一般的な照明光としては自然光(太陽光)に近い色の光が好ましい。但し、照明装置１の用途(例えば漁船で使用する照明装置など)によっては、照明光として自然光よりも特定の波長成分の強い光の方が好ましい。
更に、透過支持体３は、少なくとも点状光源２を内部で支持する機能と、点状光源２からの照射光を外部に透過させる透過機能とを備えていればよく、点状光源を支持するための光源支持体７を用いる態様が代表的であるが、光源支持体７を用いない態様もあり得る。例えば透過性覆い５の内部に光源支持部を予め形成しておき、この光源支持部に点状光源２を直接支持するようにしてもよい。
更にまた、透過性覆い５としては、代表的には円筒状又は断面円弧状であるが、これ以外の形状、例えば断面楕円状、断面矩形状等適宜選定して差し支えない。
ここで、円筒状又は断面円弧状の透過性覆い５の成形例としては、遠心成形法（回転可能な遠心成形型を用い、遠心力にて遠心成成形型に沿った形状の透過性覆い５を形成するもの）が挙げられる。この場合、代表的には円筒状に形成されるが、これを適宜角度で切断するようにすれば、断面円弧状の透過性覆い５を形成することも可能である。
また、他の形状（断面楕円状、断面矩形状など）の透過性覆い５の成形法としては、金型を用いた型成形にて形成するものが挙げられる。
また、拡散層６については透過性覆い５と一体的に形成されていれば適宜選定して差し支えない。
この拡散層６の形成法としては、代表的には透過性覆い５の透過性材料に拡散剤を添加し、遠心成形法を用いて透過性覆い５と一体的に形成するようにするものが挙げられるが、これに限られるものではなく、例えば透過性覆い５の透過性材料に拡散剤を添加し、予め板状部材を成形した後、熱成形にて円筒状や湾曲状等任意の形状に形成するようにしたり、あるいは、透過性覆い５の表面に拡散剤を含む拡散層６を塗布などにて形成するようにしてもよい。
【００１０】
また、このような照明装置において、点状光源２を安定的に支持するという観点からすれば、透過支持体３は、透過性覆い５に対して固定され且つ透過性覆い５の内部に複数の点状光源２が支持される光源支持体７を有する態様が好ましい。
更に、透過性覆い５の好ましい態様としては、点状光源２を囲繞する周囲全体を照明するという観点からすれば円筒状に形成されている態様が挙げられる。
更にまた、透過性覆い５と拡散層６との関係については、両者が一体的に形成されていればよく、完全に渾然一体でもよいし、あるいは、透過性覆い５に拡散層６とは別個に非拡散層を具備していてもよい。
例えば遠心成形法を利用する場合には、透過性覆い５は透過性材料よりも高比重の拡散剤が含まれる拡散層６を一体的に形成したようにすればよい。特に、複数種の拡散層６を形成するという観点からすれば、透過性材料よりも高比重で且つ比重の異なる拡散剤が含まれる拡散層６を一体的に形成し、比重の低い拡散剤が含まれる低比重拡散層よりも外側に比重の高い拡散剤が含まれる高比重拡散層を配置することが可能である。
【００１１】
また、点状光源２からの照明光の色合いを調整するための代表的態様としては、透過性覆い５に対し、点状光源２からの照射光の波長成分が調整可能な波長成分調整剤を拡散層６に含ませた態様が挙げられる。例えば点状光源２として、市販の白色ＬＥＤを使用し、例えば青色成分を少し抑えるために、波長成分調整剤として青色成分を遮断するものを用いるような場合である。
更に、点状光源２からの照明光り色合いを調整するための他の代表的態様としては、点状光源２は、当該点状光源２からの照射光の波長成分が調整可能な波長成分調整層(図示せず)を有する態様が挙げられる。
【００１２】
また、これらの照明装置１を利用して照明装飾装置を構築することも可能である。
この照明装飾装置は、上述した照明装置１と、この照明装置１の透過性覆い５の外側に設けられ且つ装飾模様が付された透過性素材からなる装飾用覆い(図示せず)とを備えたものである。
ここでいう照明装飾装置とは、照明機能、及び、装飾機能を具備した装置を広く含む。
また、装飾用覆いとしては、植物性繊維、動物性繊維等を用いて透過性を有するシート状に構成した覆いであれば、和紙、麻布、羊毛布等適宜選定して差支えない。更に、装飾模様としては透過性素材自体に形成されている模様(透過部と非透過部との組合せによる模様、透過部の透過率が変化する模様)は勿論、透過性素材に人為的に形成した模様(非透過部や透過部を別個に形成)も含む。
特に、和紙は紙の漉き方で特有な模様が形成されることから、装飾用覆いとしては好適である。
【００１３】
以下添付図面に示す実施の形態に基づいて本発明をより詳細に説明する。
◎実施の形態１
図２(ａ)は実施の形態１に係る照明装置の全体構成を示し、(ｂ)はその分解説明図である。
同図において、照明装置２０は、長尺な光源ユニット２１と、この光源ユニット２１を内部に支持すると共に光源ユニット２１からの照射光を外部に透過させる透過支持体２２とを備えている。
本実施の形態において、光源ユニット２１は、図２及び図３に示すように、長尺な基板３０を有し、この基板３０の両面には適宜数の光源ホルダ３１を配設すると共に、各光源ホルダ３１には適宜間隔の光源取付孔３２を開設し、例えば一つ置きの光源取付孔３２を介して基板３０上に点状光源としてのＬＥＤ３３を所定ピッチｐ間隔で搭載するようにしたものである。尚、符号３５は基板３０に対して光源ホルダ３１を固定するための止め具である。
ここで、ＬＥＤ３３としては白色ＬＥＤが使用されるが、ＲＧＢ(赤、緑、青)の３色のＬＥＤを順番に配列して使用したり、あるいは、特定の色のＬＥＤを使用するようにする等適宜選定して差し支えない。
【００１４】
また、透過支持体２２は、前記光源ユニット２１が中心線に沿って内蔵され且つ両端が開口する円筒状の透過パイプ４０と、この透過パイプ４０の両端開口を塞ぎ且つ光源ユニット２２の両端を支持するエンドキャップ５０とを備えている。
そして、本実施の形態では、透過パイプ４０は透過性材料としての透過性樹脂(例えばアクリル樹脂)にて構成される円筒状パイプ本体４１を有し、このパイプ本体４１は内側から順に透過性樹脂だけからなる透過層４２と、この透過層４２の外側には透過性樹脂と拡散剤とが分散する拡散層４３との多層構造になっている。
特に、本例では、拡散層４３は、透過性樹脂よりも高比重である拡散剤Ｉが含まれる内側拡散層４３ａと、拡散剤Ｉよりも高比重である拡散剤ＩＩが含まれる外側拡散層４３ｂとの二層構造になっている。
また、エンドキャップ５０は、透過パイプ４０の両端開口に嵌り込むボス５１を有し、このボス５１の周囲に透過パイプ４０の端部に当接するフランジ５２を形成すると共に、
ボス５１の中央部には光源ユニット２１の両端部が支持可能な支持受け孔５３を形成したものである。
【００１５】
次に、本実施の形態で使用される透過パイプ４０の製造法について説明する。
本実施の形態では、透過パイプ４０は遠心成形法によって成形される。
この遠心成形法は、図４(ａ)(ｂ)に示すように、回転型金型６０の中に透過性樹脂(モノマー)としてのアクリル樹脂(比重：１．２)を入れると共に、このアクリル樹脂よりも高比重で且つ比重の異なる拡散剤Ｉ(例えばＰＥＴ：比重１．４)，拡散剤ＩＩ(例えばガラス：比重２．５)を添加した後、前記金型６０を高速回転させ、遠心力で金型６０内側に拡散剤Ｉ，ＩＩが混入されたアクリル樹脂を貼り付け、熱をかけて重合成形する。
このとき、図５(ａ)に示すように、遠心力により、低比重の拡散剤Ｉは内側に、高比重の拡散剤ＩＩは外側に夫々拡散層４３ａ，４３ｂとして形成される。
尚、本実施の形態では、複数の拡散剤Ｉ，ＩＩを添加するようにしているが、これに限られるものではなく、例えば拡散剤Ｉ又はＩＩのいずれか一方だけ添加するようにしてもよい。この場合には、図５(ｂ)に示すように、拡散層４３は単層構造として形成される。
【００１６】
次に、本実施の形態に係る照明装置の作動について説明する。
今、図６(ａ)に示すように、光源ユニット２１の各ＬＥＤ３３からの照射光Ｂｍは透過パイプ４０を透過して外部に拡散した状態で照射される。
具体的には、図７に示すように、ＬＥＤ３３からの照射光Ｂｍは透過パイプ４０の透過層４２をそのまま進行した後、拡散層４３(内側拡散層４３ａ，外側拡散層４３ｂ)に突入する。
このとき、前記照射光Ｂｍの一部はそのままあるいは拡散層４３(４３ａ，４３ｂ)の拡散剤Ｉ，ＩＩの拡散粒子Ｇ１，Ｇ2を透過して透過光Ｂｍ(1)として外部に照射され、また、前記照射光Ｂｍの別の一部は拡散層４３(４３ａ，４３ｂ)の拡散剤Ｉ，ＩＩの拡散粒子Ｇ１，Ｇ2と衝突して拡散し、Ｂｍ(2)，Ｂｍ(3)として外部に拡散照射され、更に、前記照射光Ｂｍのまた別の一部は前記拡散粒子Ｇ１，Ｇ2に衝突したり、あるいは、透過層４２や拡散層４３にて反射されて、Ｂｍ(4)，Ｂｍ(5)として透過パイプ４０の内側に戻され、他の部位に向かう。
【００１７】
このように、ＬＥＤ３３からの照射光Ｂｍは透過パイプ４０との照射部にて周囲に拡散するため、図６(ｂ)に示すように、透過パイプ４０は略均一な照度にて照明されることになり、外部から見て、内部のＬＥＤ３３の存在は目隠しされる。
ここで、拡散剤Ｉ，拡散剤ＩＩの添加量は適宜選定して差し支えないが、本実施の形態では、上述したように、ＬＥＤ３３の目隠し機能、及び、透過パイプ４０の照度均一機能を実現する上で必要な量が選定されている。
この点、図６(ｃ)に示す比較の形態(拡散層４３を用いない透過パイプ４０’を使用)では、外部から透過パイプ４０’を見ると、透過パイプ４０’のうちＬＥＤ３３に対向する部位の照度が非対向な部位に比べて大きいため、図６(ｄ)に示すように、透過パイプ４０’の表面にＬＥＤ３３の照射痕４８が見えるという懸念がある。
【００１８】
◎変形の形態１
実施の形態１では、光源ユニット２１は基板３０の両面に光源ホルダ３１を介してＬＥＤ３３を搭載した態様であるが、これに限られるものではなく、例えば図８に示すように、断面矩形状の基板ブロック３６の各面に光源ホルダ３１を介して点状光源としてのＬＥＤ３３を所定ピッチ間隔で配設し、基板ブロック３６の９０度毎の各面からＬＥＤ３３からの光を照射するようにしたものでもよい。
本変形の形態では、光源ユニット２１は基板ブロック３６の四面からＬＥＤ３３の光を照射させるため、例えば実施の形態１の二面からＬＥＤ３３の光を照射する方式に比べて、更に各面からのＬＥＤ３３からの光量を少なく配分することが可能になるばかりか、各面のＬＥＤ３３列は透過パイプ４０の９０度の角度範囲における配光を調整すれば足りるため、透過パイプ４０の照度分布はより均一に維持される。
尚、本変形の形態では光源ユニット２１は四面からＬＥＤ３３からの光を照射するものであるが、これに限られるものではなく、例えば断面ｎ角形状の基板ブロックを使用し、ｎ面からＬＥＤの光を照射するようにする等適宜選定して差し支えない。
【００１９】
◎実施の形態２
図９は実施の形態２に係る照明装置の要部を示す説明図である。
同図において、照明装置２０の基本的構成は、図９(ａ)に示すように、実施の形態１と略同様な光源ユニット２１を有しているが、実施の形態１と異なる透過パイプ４０を設けたものである。
本実施の形態において、透過パイプ４０は、実施の形態１と同様に、パイプ本体４１として透過層４２と拡散層４３(４３ａ，４３ｂ)とを備えているが、図９(ｂ)に示すように、拡散層４３(４３ａ，４３ｂ)には波長成分調整剤としての調整粒子Ｈを分散させ、前記拡散層４３を波長成分調整層４４としても機能させるようにしたものである。
ここでいう波長成分調整剤としての調整粒子Ｈは、特定の波長成分(例えば青色成分：Ｂｍ(青))を吸収する作用を奏するものであり、予め決められた量を添加して前記波長成分を減衰させるものである。
【００２０】
本実施の形態で使用される透過パイプ４０の製造例を図１０に示す。
同図において、透過パイプ４０は遠心成形法によって成形されるが、この遠心成形法は、回転型金型６０の中に透過性樹脂(モノマー)としてのアクリル樹脂(比重：１．２)を入れると共に、このアクリル樹脂よりも高比重で且つ比重の異なる拡散剤Ｉ(例えばＰＥＴ：比重１．４)，拡散剤ＩＩ(例えばガラス：比重２．５)を添加すると共に、波長成分調整剤を適量添加し、前記金型６０を高速回転させ、遠心力で金型６０内側に拡散剤Ｉ，ＩＩ及び波長成分調整剤（例えば染料又は顔料又は蓄光剤等）が混入されたアクリル樹脂を貼り付け、熱をかけて重合成形する。
このとき、図９(ｂ)に示すように、遠心力により、低比重の拡散剤Ｉは内側に、高比重の拡散剤ＩＩは外側に夫々拡散層４３ａ，４３ｂとして形成されると共に、各拡散層４３(４３ａ，４３ｂ)には波長成分調整剤としての調整粒子Ｈが分散配置される。
尚、波長成分調整剤の比重が透過性樹脂としてのアクリル樹脂よりも高比重である場合には、上述したように、拡散層４３(４３ａ，４３ｂ)に波長成分調整剤としての調整粒子Ｈが分散するが、仮に、波長成分調整剤がアクリル樹脂と同程度以下の比重である場合には、拡散層４３よりも内側に位置する透過層４２に波長成分調整剤としての調整粒子Ｈが分散することになる。
【００２１】
本実施の形態によれば、ＬＥＤ３３からの照射光Ｂｍは、実施の形態１と同様に、透過パイプ４０の拡散層４３の作用により、例えばＢｍ(1)〜Ｂｍ(3)に外部に拡散した状態で照射されるほか、波長成分調整層４４による作用にて特定の波長成分が減衰した状態で外部に照射される。
このため、透過パイプ４０からの照明光はＬＥＤ３３からの照射光とは色合いの異なる拡散光として外部に照射される。
例えばＬＥＤ３３として市販の白色ＬＥＤを使用している場合を仮定し、波長成分調整層４４にて例えば青色成分を減衰させたとすると、透過パイプ４０からの照明光は白色ＬＥＤ３３からの白色よりも青みが抑えられた色合いの光として照射される。
【００２２】
◎実施の形態３
図１１は実施の形態３に係る照明装置の要部を示す説明図である。
同図において、照明装置２０の基本的構成は、実施の形態１と略同様な透過パイプ４０を有しているが、実施の形態１と異なる光源ユニット２１を備えている。
本実施の形態では、光源ユニット２１は実施の形態１と同様に所定のピッチ間隔毎にＬＥＤ３３を配設しているが、実施の形態１と異なり、ＬＥＤ３３の表面には特定の波長成分を調整する波長成分調整層４４を付加したものである。
この波長成分調整層４４は特定の波長成分(例えば青色成分)を減衰させる作用を奏するため、ＬＥＤ３３からの照射光は波長成分調整層４４を透過した段階で色合いが変化し、透過パイプ４０の拡散層４３(４３ａ，４３ｂ)を経て拡散照射される。
尚、本実施の形態では、ＬＥＤ３３の表面層として波長成分調整層４４を設けているが、これに限られるものではなく、例えばＬＥＤ３３からの光照射口を覆うように図示外の波長成分調整フィルタ(波長成分調整層４４と同様な機能を具備)を配設するようにしてもよい。
【００２３】
◎実施の形態４
図１２は実施の形態４に係る照明装飾装置を示す。
同図において、照明装飾装置７０は、照明機能と装飾機能とを融合させたものであり、本例では照明機能付きの一輪差し花瓶を示す。
この照明装飾装置７０は、一輪差し花瓶を兼用した照明装置８０を有している。この照明装置８０は、図１３(ａ)(ｂ)に示すように、光源ユニット８１と、この光源ユニット８１を内部に支持し且つ光源ユニット８１からの光を外部に透過させる透過支持体８２とを備えている。
そして、光源ユニット８１は長尺な円筒状花瓶部９０を有し、この円筒状花瓶部９０の周囲には１８０度変位した位置に点状光源としてのＬＥＤ８３を所定ピッチ間隔で配列したものである。
一方、透過支持体８２は、光源ユニット８１を囲繞する円筒状の透過パイプ１００と、この透過パイプ１００の下端部を塞くエンドキャップ１１０とを有し、このエンドキャップ１１０には前記光源ユニット８１の円筒状花瓶部９０の下端開口部に嵌め込まれる位置決めボス１１１が設けられている。
尚、透過パイプ１００は実施の形態１と同様な拡散層４３(又は実施の形態２の波長成分調整層４４を兼用した拡散層４３)を有している。
特に、本実施の形態では、照明装飾装置７０は、図１２(ａ)(ｂ)に示すように、照明装置８０の透過パイプ１００の周囲に装飾用覆いとしての和紙１２０を貼り付けたものである。
【００２４】
本実施の形態によれば、照明装置８０は光源ユニット８１のＬＥＤ８３からの照射光は透過パイプ１００の拡散層４３を経て拡散照射されるため、透過パイプ１００からは略均一な照度の照明光が照射される。
このとき、実施の形態２の態様では、ＬＥＤ８３からの照射光の色合いが調整された照明光が透過パイプ１００から略均一な照度にて照射される。
更に、この透過パイプ１００の周囲には和紙１２０が貼り付けられているため、和紙１２０の幻想的な装飾模様が照明装置８０からの照明光で浮き上がり、見る人の心を和ませるという癒し空間を演出する。
このような照明装飾装置７０において、円筒状花瓶部９０に花一輪を差すと、一輪差しの周囲が照明装置８０にて照明され、しかも、和紙１２０による装飾模様が照明光によって演出される。
【００２５】
◎実施の形態５
図１４(ａ)は実施の形態５に係る照明装置の要部を示す。
同図において、照明装置１３０は、台座１３１の上に湾曲形成された照明管１３２，１３３を設けたものであり、この照明管１３２，１３３として、ＬＥＤが配列された図示外の光源ユニット(符号１３４は光源ユニットのレイアウトラインの一例を示す)とこの光源ユニットを内蔵する透過パイプ１３５(例えば実施の形態１，２の透過パイプ４０に相当)とを用いるようにしたものである。
この場合、透過パイプ１３５が湾曲形成されることから、図以外の光源ユニットのレイアウトも湾曲形成することが必要である。
また、照明装置１３０の他の例としては、図１４(ｂ)に示すように、直線状透過パイプ１４１と約１／４欠落したリング状の透過パイプ１４２とを例えば接合面Ｌで接合することにより、例えばクエッション（？）形状の透過パイプ１４０を構成し、この透過パイプ１４０内には接合前に図示外の光源ユニット(符号１４５は光源ユニットのレイアウトラインを示す)を組込むようにしたものである。
ここで、透過パイプ１４０として、実施の形態１，２の透過パイプ４０と同様に構成するようにすれば、光源ユニットとして点状光源としてのＬＥＤを使用したとしても、？形状の透過パイプ１４０が略均一な照度で照明される。
更に、照明装置１３０の別の例としては、図１４(ｃ)に示すように、直線状透過パイプ１５１と一部欠落した略リング状の透過パイプ１５２とを例えば接合面Ｌ１，Ｌ２で接合することにより、突起付きのリング形状の透過パイプ１５０を構成し、この透過パイプ１４０内には接合前に図示外の光源ユニット(符号１５５は光源ユニットのレイアウトラインを示す)を組込むようにしたものである。
本例でも、透過パイプ１５０として、実施の形態１，２の透過パイプ４０と同様に構成するようにすれば、光源ユニットとして点状光源としてのＬＥＤを使用したとしても、突起付きリング形状の透過パイプ１５０が略均一な照度で照明される。
尚、図１４(ｂ)(ｃ)中、符号１４６，１５６は照明装置１３０を固定するためのねじ部である。
【００２６】
また、本実施の形態では、透過パイプ１３５，１４０，１５０を用いた照明装置１３０が用いられているが、これに限られるものではなく、透過パイプを用いない態様にも本発明を適用することは可能である。
例えば図１５に示すように、照明装置１３０として片面照射型スタンドを構築する場合には、片面にＬＥＤ１６１が配列される光源ユニット１６０と、この光源ユニット１６０のＬＥＤ１６１を覆う断面Ｃ字状の透過カバー１６２と、この透過カバー１６２の背面を塞ぐ背面カバー１６３と、透過カバー１６２の上下端を塞ぐエンドキャップ１６４，１６５とを備えたものである。
本例では、透過カバー１６２に実施の形態１，２の透過パイプ４０と同様な拡散層４３(又は波長成分調整層４４を兼用した拡散層４３)を設けるようにすれば、透過カバー１６２からの照射光は略均一な照度で照明される。
【実施例】
【００２７】
◎実施例１
実施の形態２に係る照明装置を具現化したものを実施例１とし、透過パイプ４０からの外部照明光の分光特性と、光源ユニット２１の白色ＬＥＤ３３からの照射光の分光特性とを調べたところ、図１６，図１７の結果が得られた。
図１６は透過パイプ４０からの外部照明光の分光特性を示すが、図１７の白色ＬＥＤからの照射光の分光特性に比べて、青色成分(４６０ｎｍ)が減衰し、代わりに、赤色成分(６００ｎｍ)が増加していることが理解される。
よって、本実施例では、白色ＬＥＤからの照射光は比較的青みが強い白色であるが、透過パイプ４０からの外部照射光は青みが抑えられ、逆に、赤みが強くなった色合いの白色が得られることが理解される。
これは、実施の形態２における波長成分調整層４４による作用を裏付けるものである。
【符号の説明】
【００２８】
１…照明装置，２…点状光源，３…透過支持体，５…透過性覆い，６…拡散層，７…光源支持体
【図１】
2011014468.tif 000003
【図２】
2011014468.tif 000004
【図３】
2011014468.tif 000005
【図４】
2011014468.tif 000006
【図５】
2011014468.tif 000007
【図６】
2011014468.tif 000008
【図７】
2011014468.tif 000009
【図８】
2011014468.tif 000010
【図９】
2011014468.tif 000011
【図１０】
2011014468.tif 000012
【図１１】
2011014468.tif 000013
【図１２】
2011014468.tif 000014
【図１３】
2011014468.tif 000015
【図１４】
2011014468.tif 000016
【図１５】
2011014468.tif 000017
【図１６】
2011014468.tif 000018
【図１７】
2011014468.tif 000019